【手続補正書】
【提出日】平成27年5月27日(2015.5.27)
【手続補正１】
【補正対象書類名】明細書
【補正対象項目名】００１１
【補正方法】変更
【補正の内容】
【００１１】
本発明に係る画像処理装置は、表示手段によって表示される画像を出力する画像処理装置であって、複数の異なる視点からの撮像を実行することによって得られる複数の画像を示す多視点画像データに画像処理を実行することで得られるリフォーカス画像であって、前記撮像後の前記多視点画像データが示す画像の焦点から調節された焦点を有するリフォーカス画像を保持する保持手段と、前記表示手段によって表示されるリフォーカス画像内の合焦すべき対象の種別を示すリフォーカスモードを設定する設定手段と、前記設定手段によって設定された前記リフォーカスモードによって示される対象に合焦したリフォーカス画像を前記保持手段から読み出して前記表示手段に出力する出力手段とを有することを特徴とする。
【手続補正２】
【補正対象書類名】特許請求の範囲
【補正対象項目名】全文
【補正方法】変更
【補正の内容】
【特許請求の範囲】
【請求項１】
表示手段によって表示される画像を出力する画像処理装置であって、
複数の異なる視点からの撮像を実行することによって得られる複数の画像を示す多視点画像データに画像処理を実行することで得られるリフォーカス画像であって、前記撮像後の前記多視点画像データが示す画像の焦点から調節された焦点を有するリフォーカス画像を保持する保持手段と、
前記表示手段によって表示されるリフォーカス画像内の合焦すべき対象の種別を示すリフォーカスモードを設定する設定手段と、
前記設定手段によって設定された前記リフォーカスモードによって示される対象に合焦したリフォーカス画像を前記保持手段から読み出して前記表示手段に出力する出力手段と
を有することを特徴とする画像処理装置。
【請求項２】
前記設定手段によって設定された前記リフォーカスモードに対応する前記リフォーカス画像を生成する生成手段をさらに有し、
前記保持手段は、前記生成手段によって生成された前記リフォーカス画像を保持し、
前記出力手段は、前記生成手段によって生成された前記リフォーカス画像を前記保持手段から読み出して前記表示手段に出力することを特徴とする請求項１に記載の画像処理装置。
【請求項３】
前記多視点画像データによって表される画像内において、前記設定手段によって設定された前記リフォーカスモードによって示される前記種別の物体を検出する検出手段をさらに有し、
前記出力手段は、前記設定手段によって設定された前記リフォーカスモードによって示される前記種別の物体が前記検出手段によって検出される場合、前記設定手段によって設定された前記リフォーカスモードによって示される対象に合焦した前記リフォーカス画像を前記保持手段から読み出して前記表示手段に出力することを特徴とする請求項１に記載の画像処理装置。
【請求項４】
前記設定手段によって設定される前記リフォーカスモードに対応する前記リフォーカス画像を生成する生成手段をさらに有し、
前記生成手段は、前記設定手段によって設定される前記リフォーカスモードによって示される種別の物体が前記検出手段によって検出される場合、前記設定手段によって設定される前記リフォーカスモードによって示される対象に合焦した前記リフォーカス画像を生成し、
前記保持手段は、前記生成手段によって生成された前記リフォーカス画像を保持し、
前記出力手段は、前記生成手段によって生成された前記リフォーカス画像を前記保持手段から読み出して前記表示手段に出力することを特徴とする請求項３に記載の画像処理装置。
【請求項５】
前記保持手段は、前記多視点画像データから生成されるパンフォーカス画像をさらに保持し、
前記出力手段は、前記多視点画像データによって表される画像において、前記リフォーカスモードによって示される種別の物体が検出されない場合、前記設定手段によって設定された前記リフォーカスモードに示される対象に合焦した前記リフォーカス画像の代わりに前記パンフォーカス画像を出力することを特徴とする請求項３または４に記載の画像処理装置。
【請求項６】
前記出力手段は、前記表示手段によって表示される画像が第１の撮影シーンに対応する第１のリフォーカス画像から前記第１の撮影シーンと異なる第２の撮影シーンに対応する第２のリフォーカス画像に切り替えられた場合、前記第１のリフォーカス画像と同じリフォーカスモードによって示される対象に合焦したリフォーカス画像を前記第２のリフォーカス画像として前記表示手段に出力することを特徴とする請求項１から５のいずれか一項に記載の画像処理装置。
【請求項７】
前記出力手段によって出力される前記リフォーカス画像を表示する前記表示手段をさらに有することを特徴とする請求項１から６のいずれか一項に記載の画像処理装置。
【請求項８】
表示手段によって表示される画像を出力する画像処理装置であって、
複数の異なる視点からの撮像を実行することによって得られた複数の画像を示す多視点画像データを取得する取得手段と、
前記表示手段によって表示される、前記撮像後の前記多視点画像データが示す画像の焦点から調節された焦点を有するリフォーカス画像内の合焦すべき対象の種別を示すリフォーカスモードを設定する設定手段と、
前記設定手段によって設定された前記リフォーカスモードに基づいて、前記多視点画像データに画像処理を実行することによって前記設定手段によって設定された前記リフォーカスモードに示される種別の対象に合焦したリフォーカス画像を生成する生成手段と、
前記生成手段によって生成された前記リフォーカス画像を前記表示手段に出力する出力手段と
を有することを特徴とする画像処理装置。
【請求項９】
表示手段によって表示される画像を出力する画像処理装置であって、
複数の異なる視点からの撮像を実行することによって得られる複数の画像を示す多視点画像データに画像処理を実行することで得られるリフォーカス画像であって、前記撮像後の前記多視点画像データが示す画像の焦点から調節された焦点を有するリフォーカス画像を保持する保持手段と、
前記保持手段から前記リフォーカス画像を読み出して前記表示手段に前記リフォーカス画像を出力する出力手段とを有し、
前記出力手段は、前記表示手段によって表示される画像が第１の撮影シーンに対応する第１のリフォーカス画像から前記第１の撮影シーンと異なる第２の撮影シーンに対応する第２のリフォーカス画像に切り替えられた場合、前記第１のリフォーカス画像において合焦されている被写体と同じ種別の被写体に合焦したリフォーカス画像を前記第２のリフォーカス画像として前記表示手段に出力することを特徴とする画像処理装置。
【請求項１０】
表示手段によって表示される画像を出力する画像処理方法であって、
複数の異なる視点からの撮像を実行することによって得られる複数の画像を示す多視点画像データに画像処理を実行することで得られるリフォーカス画像であって、前記撮像後の前記多視点画像データが示す画像の焦点から調節された焦点を有するリフォーカス画像を保持する保持ステップと、
前記表示手段によって表示されるリフォーカス画像内の合焦すべき対象の種別を示すリフォーカスモードを設定する設定ステップと、
前記設定された前記リフォーカスモードによって示される対象に合焦したリフォーカス画像を前記表示手段に出力する出力ステップと
を有することを特徴とする画像処理方法。
【請求項１１】
表示手段によって表示される画像を出力する画像処理方法であって、
複数の異なる視点からの撮像を実行することによって得られた複数の画像を示す多視点画像データを取得する取得ステップと、
前記表示手段によって表示される、前記撮像後の前記多視点画像データが示す画像の焦点から調節された焦点を有するリフォーカス画像内の合焦すべき対象の種別を示すリフォーカスモードを設定する設定ステップと、
前記設定された前記リフォーカスモードに基づいて、前記多視点画像データに画像処理を実行することによって前記設定された前記リフォーカスモードに示される種別の対象に合焦したリフォーカス画像を生成する生成ステップと、
前記生成された前記リフォーカス画像を前記表示手段に出力する出力ステップと
を有することを特徴とする画像処理方法。
【請求項１２】
表示手段によって表示される画像を出力する画像処理方法であって、
複数の異なる視点からの撮像を実行することによって得られる複数の画像を示す多視点画像データに画像処理を実行することで得られるリフォーカス画像であって、前記撮像後の前記多視点画像データが示す画像の焦点から調節された焦点を有するリフォーカス画像を保持する保持ステップと、
前記リフォーカス画像を読み出して前記表示手段に前記リフォーカス画像を出力する出力ステップとを有し、
前記出力ステップは、前記表示手段によって表示される画像が第１の撮影シーンに対応する第１のリフォーカス画像から前記第１の撮影シーンと異なる第２の撮影シーンに対応する第２のリフォーカス画像に切り替えられた場合、前記第１のリフォーカス画像において合焦されている被写体と同じ種別の被写体に合焦したリフォーカス画像を前記第２のリフォーカス画像として前記表示手段に出力することを特徴とする画像処理方法。
【請求項１３】
コンピュータを、請求項１から９のいずれか一項に記載の画像処理装置の各手段として機能させるためのプログラム。